(57)【要約】【課題】使用者の寝心地を良好にすると共に、快適に使用することができる抱き枕を提供する。【解決手段】一実施形態に係る抱き枕１は、非通気性の袋体１０と、袋体１０に設けられると共に開閉自在とされており開放された状態で袋体１０の内部に空気を流入させる流入部５と、袋体１０に設けられると共に開閉自在とされており開放された状態で袋体１０の内部から袋体１０の外部に空気を流出させる流出部８と、を備え、流入部５は、袋体１０に設けられた開口部６と、袋体１０の開口部６の内側に設けられて圧縮変形すると共に空気を流通可能な弾性発泡部材７とを有し、圧縮変形された弾性発泡部材７が元の形状に形状復帰するときに弾性発泡部材７が袋体１０の内部に空気を吸い込むことによって、袋体１０の内部に空気が流入する。【選択図】図１
2019180476.tif 000002
【特許請求の範囲】
【請求項１】
非通気性の袋体と、
前記袋体に設けられると共に開閉自在とされており開放された状態で前記袋体の内部に空気を流入させる流入部と、
前記袋体に設けられると共に開閉自在とされており開放された状態で前記袋体の内部から前記袋体の外部に空気を流出させる流出部と、
を備え、
前記流入部は、
前記袋体に設けられた開口部と、前記袋体の前記開口部の内側に設けられて圧縮変形すると共に空気が流通可能な弾性発泡部材とを有し、
圧縮変形された前記弾性発泡部材が元の形状に形状復帰するときに前記弾性発泡部材が前記袋体の内部に空気を吸い込むことによって、前記袋体の内部に空気が流入する、
抱き枕。
【請求項２】
前記袋体は、前記抱き枕の使用者の身体に沿って延びる形状とされており、
前記流入部及び前記流出部の少なくとも一方は前記袋体の端部に設けられる、
請求項１に記載の抱き枕。
【発明の詳細な説明】
【技術分野】
【０００１】
本発明は、身体を休めるときに用いられる抱き枕に関する。
【背景技術】
【０００２】
従来から、抱き枕については種々のものが知られている。特開２０１４−１６８６０７号公報には、人の身体に沿って延びる棒状の抱き枕が記載されている。この抱き枕は、使用者が抱きかかえる長尺状の本体部と、使用者の頭部を載せるヘッドレスト部とから成る。本体部の内部には、ゴム等の弾性体から成る楕円体状のバルーンが埋設されている。本体部の外部には、バルーンと可撓性チューブを介して接続されたエアポンプが設けられる。
【０００３】
可撓性チューブは、本体部の端部から本体部の外部に延び出している。エアポンプにはバルブが設けられており、バルブは制御部（ＣＰＵ）から信号を受けてエアポンプからバルーンへの空気供給を制御する。制御部は信号をエアポンプとバルブに出力し、エアポンプが駆動すると共にバルブが可撓性チューブの空気路を開放して空気がバルーンに供給されることにより、抱き枕が膨張する。
【０００４】
実用新案登録第３１９４４５１号公報には、弧状に湾曲した棒状の抱き枕が記載されている。この抱き枕は、綿状繊維体が収容されたエアバッグと、エアバッグを覆うクッション性素材の抱き枕本体と、エアバッグにエアを給排気するエアポンプと、エアポンプの給排気を制御する制御部とを備える。綿状繊維体は、脱脂綿によって構成されており、エアバッグの内部に充填されている。
【０００５】
エアポンプは、抱き枕本体から抱き枕本体の外部に延び出すエアホースを介してエアバッグに接続されている。エアポンプは、電源及び操作ボタンを備えており、電源及び操作ボタンの操作によって動作する。制御部は、エアポンプから更に延び出している。制御部は、４秒間の給気時間及び６秒間の排気時間でエアポンプがエアバッグへの給排気を行うように、エアポンプの駆動を制御する。
【先行技術文献】
【特許文献】
【０００６】
【特許文献１】特開２０１４−１６８６０７号公報
【特許文献２】実用新案登録第３１９４４５１号公報
【発明の概要】
【発明が解決しようとする課題】
【０００７】
前述した抱き枕は、抱き枕本体からエアホースが外部に延び出しており、エアホースの抱き枕本体との反対側の端部にエアポンプが設けられている。このように、抱き枕からエアホースが延び出しており、エアホースの更に先にエアポンプが設けられる場合、抱き枕の使用者にエアホースが絡みついたり、使用者の身体にエアポンプが当接したりすることがある。よって、抱き枕の外部に位置するエアホース又はエアポンプが邪魔になることがあるので、使用者の寝心地を損なう可能性がある。
【０００８】
また、前述した抱き枕は、制御部の信号によって給排気が行われることにより膨張又は収縮する。よって、使用者が抱き枕に抱きついているときに抱き枕が勝手に膨張又は収縮することがあるので、使用者は抱き枕の使用を煩わしく感じる可能性がある。従って、抱き枕の使用そのものが煩わしくなることによって使用者は抱き枕のことを快適でないと思うようになり、抱き枕が使われなくなることが多いという現状がある。
【０００９】
本発明は、前述した問題に鑑みてなされたものであり、使用者の寝心地を良好にすると共に、快適に使用することができる抱き枕を提供することを目的とする。
【課題を解決するための手段】
【００１０】
本発明に係る抱き枕は、非通気性の袋体と、袋体に設けられると共に開閉自在とされており開放された状態で袋体の内部に空気を流入させる流入部と、袋体に設けられると共に開閉自在とされており開放された状態で袋体の内部から袋体の外部に空気を流出させる流出部と、を備え、流入部は、袋体に設けられた開口部と、袋体の開口部の内側に設けられて圧縮変形すると共に空気が流通可能な弾性発泡部材とを有し、圧縮変形された弾性発泡部材が元の形状に形状復帰するときに弾性発泡部材が袋体の内部に空気を吸い込むことによって、袋体の内部に空気が流入する。
【００１１】
この抱き枕では、袋体の内部に空気を流入させる流入部、及び袋体の内部から袋体の外部に空気を流出させる流出部が共に非通気性の袋体に設けられている。よって、流入部及び流出部が袋体そのものに設けられ、抱き枕から外部に延び出すエアホース等は存在しない。従って、抱き枕から外部に延び出す部分が使用者の身体に当接することを抑制することができるので、使用者の寝心地が損なわれる事態を回避することができる。また、この抱き枕では、流入部が開口部と弾性発泡部材とを有し、流入部は、圧縮変形された弾性発泡部材が形状復帰するときに袋体の内部に空気を吸い込むことによって袋体の内部への空気流入を行う。よって、流入部を開放して弾性発泡部材を圧縮変形した状態で圧縮変形を解除すると、弾性発泡部材が膨張しながら袋体の内部への空気流入を行う。従って、流入部を開放した後に弾性発泡部材の圧縮及び圧縮解除を繰り返すことによって袋体の内部への空気流入を容易に行うことができる。また、流出部を開放することによって袋体の内部から袋体の外部への空気流出を容易に行うことができる。よって、袋体の内部への空気流入、及び袋体の外部への空気流出を容易に行うことできるので、抱き枕の膨張及び収縮を容易に行うことができる。従って、使用者の好みに応じて抱き枕の硬さを容易に変更することができるので、使用者の寝心地を良好にすると共に快適に使用可能な抱き枕とすることができる。
【００１２】
また、袋体は、抱き枕の使用者の身体に沿って延びる形状とされており、流入部及び流出部の少なくとも一方は袋体の端部に設けられてもよい。この場合、流入部及び流出部の少なくとも一方が袋体の端部に設けられることにより、流入部及び流出部の少なくともいずれかを使用者の背中又は腰に当たりにくくすることができる。従って、使用者に一層快適な寝心地を提供することができる。
【発明の効果】
【００１３】
本発明に係る抱き枕によれば、使用者の寝心地を良好にすると共に、快適に使用することができる。
【図面の簡単な説明】
【００１４】
【図１】本発明の第１実施形態に係る抱き枕を示す平面図である。
【図２】（ａ）は、図１の抱き枕のカバーを示す断面図である。（ｂ）は、図２（ａ）のカバーとは別のカバーを示す断面図である。
【図３】図１の抱き枕の流入部を示す斜視図である。
【図４】（ａ）は、図３の流入部を示す断面図である。（ｂ）は、図４（ａ）の流入部の弾性発泡部材が圧縮変形した例を示す断面図である。（ｃ）は、図４（ｂ）の弾性発泡部材が形状復帰する例を示す断面図である。
【図５】図１の抱き枕を使用者が使用する例を示す平面図である。
【図６】本発明の第２実施形態に係る抱き枕を示す平面図である。
【図７】（ａ）は、実施例に係る圧力分布の結果を示す図である。（ｂ）は、比較例に係る圧力分布の結果を示す図である。
【発明を実施するための形態】
【００１５】
以下では、図面を参照しながら本発明に係る抱き枕の実施形態について説明する。図面の説明において、同一又は相当する要素には同一の符号を付し、重複する説明を適宜省略する。また、図面は、理解の容易のため、一部を簡略化又は誇張して描いている場合があり、寸法等は図面に記載のものに限定されない。
【００１６】
（第１実施形態）
図１は、第１実施形態に係る抱き枕１を示す平面図である。抱き枕１は、非通気性の袋体１０によって構成されており、袋体１０の内部に収容する空気の量を変更することによって形状及び硬さを調整可能な空気抱き枕である。図１に示されるように、抱き枕１は、全体として、直線状に延びると共に両端のそれぞれが曲げられた形状を成しており、例えば、タツノオトシゴ状とされている。袋体１０の材料は、例えば、ＰＶＣ等のビニル素材、ポリウレタン又はポリエステルであるが、適宜変更可能である。
【００１７】
袋体１０は、使用者Ｍ（図５参照）の腕Ｍ１が接触する腕接触部２と、腕接触部２から使用者Ｍの身体に沿って延びる延在部３と、延在部３の腕接触部２との反対側において使用者Ｍの脚Ｍ２が載せられる脚載せ部４とを備える。延在部３は、使用者Ｍの身体に沿う第１方向Ｄ１に沿って長く延びている。腕接触部２は延在部３の第１方向Ｄ１の一端に設けられ、脚載せ部４は延在部３の第１方向Ｄ１の他端に設けられる。
【００１８】
腕接触部２は延在部３の第１方向Ｄ１の一端において第１方向Ｄ１と交差する第２方向Ｄ２に延び出しており、例えば、脚載せ部４は延在部３の第１方向Ｄ１の他端において第２方向Ｄ２の反対方向である第３方向Ｄ３に延び出している。このように、腕接触部２が延在部３から延び出す第２方向Ｄ２と、脚載せ部４が延在部３から延び出す第３方向Ｄ３とは、互いに逆側を向いている。
【００１９】
腕接触部２は、第２方向Ｄ２の先端に位置する第１端部２ａと、袋体１０の第１方向Ｄ１の一端を構成する第２端部２ｂと、第１端部２ａから第２端部２ｂの反対側に延び出すと共に第１端部２ａから延在部３に向かって延びる内側湾曲部２ｃと、第２端部２ｂから延在部３に向かって延びる外側湾曲部２ｄとを有する。一例として、腕接触部２（第２端部２ｂ）の第２方向Ｄ２の長さは、２０ｃｍ以上且つ５０ｃｍ以下であるが、適宜変更可能である。
【００２０】
内側湾曲部２ｃには、例えば、腕接触部２の内側に向かって延びる複数の皺２ｅが形成されている。第１端部２ａは、例えば、円弧状に湾曲しており、第２端部２ｂは第１端部２ａから外側湾曲部２ｄに向かって直線状に延びている。内側湾曲部２ｃは、第１端部２ａから腕接触部２の内側に入り込むように湾曲しており、例えば、円弧状に腕接触部２の内側に湾曲している。一例として、内側湾曲部２ｃの曲率半径は第１端部２ａの曲率半径よりも小さくなっており、すなわち、内側湾曲部２ｃの湾曲度合は第１端部２ａの湾曲度合よりもきつくなっている。外側湾曲部２ｄは、第２端部２ｂの第１端部２ａとの反対側から緩やかに湾曲しており、例えば、円弧状に湾曲している。
【００２１】
延在部３は、腕接触部２及び脚載せ部４の間において全体として第１方向Ｄ１に延びている。延在部３は、腕接触部２に向かうに従って第３方向Ｄ３に傾斜すると共に、脚載せ部４に向かうに従って第２方向Ｄ２に傾斜する。よって、腕接触部２、延在部３及び脚載せ部４を含む袋体１０は、全体としてＺ字状とされている。
【００２２】
延在部３は、内側湾曲部２ｃから延び出すと共に第１方向Ｄ１に対して傾斜する第１傾斜部３ａと、外側湾曲部２ｄから延び出すと共に第１方向Ｄ１に対して傾斜する第２傾斜部３ｂと、第１傾斜部３ａから脚載せ部４まで延びる第１湾曲部３ｃと、第２傾斜部３ｂから脚載せ部４まで延びる第２湾曲部３ｄとを有する。延在部３の第１方向Ｄ１の長さは、例えば、９０ｃｍ以上且つ１１０ｃｍ以下であるが、適宜変更可能である。延在部３の幅は、例えば、１５ｃｍ以上且つ５０ｃｍ以下である。また、延在部３の幅は、腕接触部２から脚載せ部４に向かうに従って徐々に広くなってもよいし、腕接触部２から脚載せ部４に向かうに従って徐々に狭くなってもよい。
【００２３】
第１傾斜部３ａ及び第２傾斜部３ｂは、例えば、直線状に延びており、互いに略平行に延びている。一例として、第１傾斜部３ａ及び第２傾斜部３ｂは、脚載せ部４に向かうに従って第２方向Ｄ２側に傾斜している。第１湾曲部３ｃ及び第２湾曲部３ｄは、例えば、円弧状に湾曲している。第１湾曲部３ｃの曲率半径は、第２湾曲部３ｄの曲率半径より小さくてもよいし、第２湾曲部３ｄの曲率半径と同程度であってもよい。第１湾曲部３ｃ及び第２湾曲部３ｄは、脚載せ部４に向かうに従って第３方向Ｄ３に湾曲しながら延びている。また、延在部３から脚載せ部４に曲がる湾曲度合は、延在部３から腕接触部２に曲がる湾曲度合よりも緩やかである。
【００２４】
脚載せ部４は、第３方向Ｄ３の先端に位置する第３端部４ａと、袋体１０の第１方向Ｄ１の他端（第２端部２ｂとの反対側の端部）を構成する第４端部４ｂと、第３端部４ａから第４端部４ｂの反対側に延び出すと共に第３端部４ａから延在部３に向かって延びる内側延在部４ｃとを有する。
【００２５】
脚載せ部４は、例えば、延在部３から第３端部４ａに向かうに従って先細りする形状とされており、脚載せ部４の第１方向Ｄ１の幅は、腕接触部２の第１方向Ｄ１の幅よりも狭い。一例として、第３端部４ａ、第４端部４ｂ及び内側延在部４ｃは、共に円弧状に湾曲している。例えば、第４端部４ｂの曲率半径は内側延在部４ｃの曲率半径より大きく、内側延在部４ｃの曲率半径は第３端部４ａの曲率半径より大きい。また、脚載せ部４の第３方向Ｄ３の長さは、腕接触部２の第２方向Ｄ２の長さよりも長く、例えば、２５ｃｍ以上且つ５５ｃｍ以下であってもよい。
【００２６】
図２（ａ）及び図２（ｂ）は、袋体１０の内部構造を示す断面図である。図２（ａ）及び図２（ｂ）に示されるように、袋体１０は中空とされており、袋体１０の内部には空間Ｓが設けられる。袋体１０は、腕接触部２の内部から延在部３の内部を通って脚載せ部４の内部にまで延びる空間Ｓを有し、袋体１０の全体にわたって延びる空間Ｓを有することによって袋体１０の形状を自在に変形可能とされている。一例として、袋体１０は、内容物を有しておらず、空間Ｓの空気によって袋体１０の形状が定められる。
【００２７】
図２（ａ）に示されるように、抱き枕１は、例えば、綿１１ｂを内部に含む側地１１ａを備えると共に袋体１０を収容するカバー１１を備えていてもよい。このように、袋体１０がカバー１１に収容されることにより、抱き枕１のクッション性を高めると共にカバー１１を変形しやすくすることができる。なお、抱き枕１は、カバー１１に代えて、ウレタンを内部に含むと共に袋体１０を収容するカバーを備えていてもよい。すなわち、綿１１ｂに代えてウレタンを用いてもよい。
【００２８】
図２（ｂ）に示されるように、抱き枕１は、パイプ材１２ｂを内部に含む側地１２ａを備えると共に袋体１０を収容するカバー１２を備えていてもよい。パイプ材１２ｂは、例えば、カバー１２の内部に満遍なく収容されており、各パイプ材１２ｂは円筒状を呈する。一例として、各パイプ材１２ｂは、ポリエチレン製の中空パイプであるが、パイプ材１２ｂの材料は、ポリスチレン、ポリエステル、ポリオレフィン又はポリウレタンであってもよい。パイプ材１２ｂを有するカバー１２によって袋体１０を収容する場合には、清涼感が高い抱き枕１とすることができると共に、パイプ材１２ｂの流動性を良好にしてカバー１２の過度な変形を抑制することができる。
【００２９】
図１に示されるように、抱き枕１は、袋体１０の内部（空間Ｓ）に空気を流入する流入部５と、袋体１０の内部から空気を袋体１０の外部に流出する流出部８とを備える。流入部５及び流出部８は、共に開閉自在とされている。流入部５及び流出部８は、例えば、袋体１０の第１方向Ｄ１の端部に設けられており、共に脚載せ部４に設けられる。一例として、流入部５及び流出部８の材料は、ＰＶＣ又はポリウレタンであるが、袋体１０の材料と同一であってもよく、適宜変更可能である。
【００３０】
流入部５及び流出部８が脚載せ部４に設けられることにより、使用者Ｍの顔Ｍ３が流入部５又は流出部８に当たることを抑制することができる。しかしながら、流入部５及び流出部８の少なくともいずれかは、腕接触部２に設けられていてもよい。この場合、袋体１０に対する空気の流出入を一層容易に行うことができる。
【００３１】
図３は、流入部５を拡大した斜視図である。図４（ａ）、図４（ｂ）及び図４（ｃ）は、流入部５が袋体１０の内部に空気Ａを流入する状態の例を示す断面図である。流入部５は、袋体１０の内部に空気を吸入する吸気弁である。流入部５は、例えば、手動によって動作する。流入部５は、袋体１０の開口１０ａに取り付けられると共に蓋６ｃを有する開口部６と、開口部６から見て袋体１０の内側に位置する弾性発泡部材７とを備える。また、流出部８は開口部６を備える。流出部８は、弾性発泡部材７を有しないので、流出部８の蓋６ｃを開放することによって流出部８から空気が袋体１０の外部に流出する。
【００３２】
開口部６は、袋体１０の開口１０ａに固定されると共に空気Ａが流通する流通口６ｂを有する固定部６ａと、固定部６ａを覆うように固定部６ａに取り付けられる蓋６ｃと、蓋６ｃから延び出す紐６ｄとを有する。固定部６ａは内部に流通口６ｂを有する筒状を成しており、例えば、固定部６ａの外周には蓋６ｃを螺合する雄螺子６ｅが形成されている。固定部６ａの雄螺子６ｅに蓋６ｃの内側の雌螺子が螺合することによって固定部６ａに蓋６ｃが取り付けられる。
【００３３】
弾性発泡部材７は、開口部６から見て袋体１０の内側に設けられており、例えば、流通口６ｂの下部に配置される。弾性発泡部材７は、変形自在とされたスポンジ部７ａと、スポンジ部７ａを袋体１０の内部に固定する固定部７ｂとを備える。スポンジ部７ａは、例えば、袋体１０の内面１０ｂに接触する接触面７ｃを有し、接触面７ｃは開口部６を囲むように配置される。
【００３４】
例えば、接触面７ｃは一方向に長く延びる形状とされており、これにより弾性発泡部材７を袋体１０の外側から押しやすくすることができる。一例として、接触面７ｃの形状は長円状であってもよい。固定部７ｂ及び接触面７ｃは、プラスチック製であってもよいし、可撓性素材によって構成されていてもよい。固定部７ｂは、例えば、接触面７ｃを囲む環状とされており、長円状とされていてもよい。
【００３５】
スポンジ部７ａは、例えば、弾性発泡体であり、一例として発泡ウレタンである。スポンジ部７ａを構成する発泡ウレタンは、表面張力が大きく引っ張り込まれて変形しやすいという性質を有する。スポンジ部７ａの少なくとも一部は、非通気性生地によって覆われると共に、開口部６及び空間Ｓに連通する放出孔を有する。非通気性生地の材料は、例えば、ＴＰＵ（熱可塑性ポリウレタン樹脂）又はＰＶＣ（ポリ塩化ビニル）である。スポンジ部７ａの内部には空気Ａが流通可能とされており、スポンジ部７ａの圧縮及び膨張に伴って袋体１０の空間Ｓに空気Ａが流入する。
【００３６】
次に、袋体１０の空間Ｓに空気Ａを流入して袋体１０を膨張させる方法について説明する。まず、流出部８の蓋６ｃを閉じた状態として流入部５の蓋６ｃを開ける。この状態では、流通口６ｂの内側に弾性発泡部材７が存在するので空気の流出入は生じない。また、流入部５の蓋６ｃを開けた状態で固定部７ｂ又は接触面７ｃを押してスポンジ部７ａを圧縮すると、圧縮変形されたスポンジ部７ａが膨張するときにスポンジ部７ａが空気Ａを吸い込む。このとき、スポンジ部７ａが袋体１０の空間Ｓに空気Ａを吸い込むことによって袋体１０が膨張する。
【００３７】
このようにスポンジ部７ａの圧縮及び膨張を繰り返すことによって空間Ｓに空気Ａが入るので抱き枕１を所望の硬さにすることができる。空間Ｓから空気Ａを抜くときには、流出部８の蓋６ｃを開放すればよい。具体的には、雄螺子６ｅに対する流出部８の蓋６ｃの螺合度合を手で調整することによって、空間Ｓの空気を抱き枕１の外部に流出することができる。
【００３８】
次に、本実施形態に係る抱き枕１の作用効果について詳細に説明する。図５に示されるように、抱き枕１では、袋体１０の空間Ｓに空気を流入させる流入部５、及び袋体１０の空間Ｓから袋体１０の外部に空気を流出させる流出部８が共に非通気性の袋体１０に設けられている。よって、流入部５及び流出部８が袋体１０そのものに設けられ、抱き枕１から外部に延び出すエアホース等は存在しない。従って、抱き枕１から外部に延び出す部分が使用者Ｍの身体に当接することを抑制することができるので、使用者Ｍの寝心地が損なわれる事態を回避することができる。
【００３９】
また、抱き枕１では、流入部５が開口部６と弾性発泡部材７とを有し、流入部５は、圧縮変形された弾性発泡部材７が形状復帰するときに袋体１０の空間Ｓに空気を吸い込むことによって空間Ｓへの空気流入を行う。よって、流入部５を開放して弾性発泡部材７を圧縮変形した状態で圧縮変形を解除すると、弾性発泡部材７が袋体１０の空間Ｓに空気流入を行う。従って、流入部５を開放した後に弾性発泡部材７の圧縮及び圧縮解除を繰り返すことによって袋体１０の空間Ｓへの空気流入を容易に行うことができる。また、流出部８を開放することによって袋体１０の内部から袋体１０の外部への空気流出を容易に行うことができる。
【００４０】
よって、袋体１０の空間Ｓへの空気流入、及び袋体１０の外部への空気流出を容易に行うことができるので、抱き枕１の膨張及び収縮を容易に行うことができる。従って、使用者Ｍの好みに応じて抱き枕１の硬さを容易に変更することができるので、使用者Ｍの寝心地を良好にすると共に快適に使用可能な抱き枕１とすることができる。
【００４１】
また、流入部５又は流出部８が操作されることにより、袋体１０の空気量の調整を短時間で行うことができるので、抱き枕１を容易に使用者Ｍの体形に合った形状とすることができる。更に、袋体１０（抱き枕１）は、内容物を有しない。すなわち、袋体１０の空間Ｓには弾性発泡部材７以外は空気のみが設けられるので、袋体１０の形状を更に変更しやすくすることができる。従って、使用者Ｍの体形又は好み等に応じて袋体１０の形状を自在且つ容易に変形することができるので、快適な抱き枕１を提供することができる。更に、流出部８の蓋６ｃを開放して袋体１０の空気を抜くことによって袋体１０をコンパクト且つ軽量化できるので、袋体１０の持ち運びを容易に行うことができる。
【００４２】
また、袋体１０は、抱き枕１の使用者Ｍの身体に沿って延びる形状とされており、流入部５及び流出部８の少なくとも一方は袋体１０の端部に設けられてもよい。この場合、流入部５及び流出部８の少なくとも一方が袋体１０の端部に設けられることにより、流入部５及び流出部８の少なくともいずれかを使用者Ｍの背中Ｍ４又は腰Ｍ５に当たりにくくすることができる。従って、使用者Ｍに一層快適な寝心地を提供することができる。
【００４３】
また、流入部５（弾性発泡部材７）は、袋体１０の端（例えば脚載せ部４の第３端部４ａ）からずれた位置に設けられる。従って、図４（ｃ）に示されるように、弾性発泡部材７が吸い込んだ空気Ａを袋体１０の内部において３６０度方向に放出することができるので、袋体１０を効率よく膨らませることができる。その結果、袋体１０への空気流入を一層速やかに行うことができる。
【００４４】
また、袋体１０は、図５に示されるように、腕接触部２及び脚載せ部４を備える。よって、使用者Ｍは腕Ｍ１を腕接触部２に掛けると共に脚Ｍ２で脚載せ部４を挟むことができる。従って、腕接触部２に腕Ｍ１が載せられて脚載せ部４に脚Ｍ２が載せられることにより、袋体１０の内部の空気がほどよく移動して袋体１０を使用者Ｍの寝姿勢に合った形状とすることができる。更に、袋体１０を適度に張り詰めて安定させることができる。その結果、袋体１０によって使用者Ｍの身体を安定させることができるので、袋体１０に対する使用者Ｍの身体のフィット感を良好にすることができる。
【００４５】
また、袋体１０が脚載せ部４を備えることにより、脚Ｍ２で脚載せ部４を挟み込むことができるので、腰Ｍ５から脚Ｍ２に向かう身体のラインを斜めから水平に近づけることができる。従って、脚Ｍ２を脚載せ部４に載せることによって腰Ｍ５にやさしい寝姿勢とすることができるので、腰痛の緩和又は予防に寄与する。更に、袋体１０が腕接触部２を備えることにより、横向き寝をする使用者Ｍの肩Ｍ６及び腰Ｍ５等にかかる圧力を分散することができるので、横向き寝を長時間快適に行うことができる。従って、本実施形態に係る抱き枕１では、横向き寝をしたときの体圧分散性を高めることによって使用者Ｍに快適な横向き寝を提供することができるので、いびきの軽減、及び無呼吸症候群の予防にも寄与する。
【００４６】
（第２実施形態）
次に、第２実施形態に係る抱き枕２１について図６を参照しながら説明する。抱き枕２１は、脚載せ部４を有しない袋体３０を備える点が第１実施形態と相違する。抱き枕２１は、例えば、使用者Ｍの腕Ｍ１によって抱きかかえられて使用される。以下では、第１実施形態と重複する説明を適宜省略する。図６に示されるように、袋体３０は、腕接触部２２と、延在部２３と、空気流出入部２４とを備えており、全体として第１方向Ｄ１に長く延びる長方形状（直方体状）とされている。
【００４７】
腕接触部２２は、第１方向Ｄ１の一端に位置すると共に第１方向Ｄ１に交差する方向に延びる端部２２ａと、端部２２ａの一端から延在部２３に向かって延びる第１湾曲部２２ｂと、端部２２ａの他端から延在部２３に向かって延びる第２湾曲部２２ｃとを有する。端部２２ａは直線状に延在し、第１湾曲部２２ｂ及び第２湾曲部２２ｃは僅かに円弧状に湾曲している。
【００４８】
延在部２３は、第１湾曲部２２ｂから空気流出入部２４に向かって直線状に延びる第１延在部２３ａと、第２湾曲部２２ｃから空気流出入部２４に向かって直線状に延びる第２延在部２３ｂとを含んでいる。第１延在部２３ａ及び第２延在部２３ｂは、例えば、共に第１方向Ｄ１に沿って互いに略平行に延びている。
【００４９】
空気流出入部２４は、第１方向Ｄ１の他端（腕接触部２２との反対側の端部）に設けられる。空気流出入部２４は、第１方向Ｄ１に交差する方向に延びる端部２４ａと、端部２４ａの一端から第１延在部２３ａにまで延びる第３湾曲部２４ｂと、端部２４ａの他端から第２延在部２３ｂにまで延びる第４湾曲部２４ｃとを有する。端部２４ａは直線状に延びており、第３湾曲部２４ｂ及び第４湾曲部２４ｃは僅かに円弧状に湾曲している。
【００５０】
空気流出入部２４は、袋体３０の内部に空気を流入する流入部２５と、袋体３０の内部から袋体３０の外部に空気を流出する流出部２８とを備える。流入部２５及び流出部２８は、例えば、第１方向Ｄ１の端部に設けられると共に、第１方向Ｄ１に交差する方向に沿って並んで配置されている。流入部２５は開口部２６と弾性発泡部材２７とを有し、流出部２８は開口部２６を有する。
【００５１】
流入部２５及び流出部２８の構成は、第１実施形態の流入部５及び流出部８の構成と同様であるが、開口部２６の形状が開口部６の形状と異なっている。具体的には、開口部６は雄螺子６ｅに蓋６ｃを螺合することによって袋体１０の開閉を行うが、開口部２６はキャップ２６ａの着脱によって袋体３０の開閉を行う。なお、弾性発泡部材２７の構成は例えば弾性発泡部材７の構成と同一である。
【００５２】
以上、第２実施形態に係る抱き枕２１では、袋体３０の内部に空気を流入させる流入部２５、及び袋体３０の内部から袋体３０の外部に空気を流出させる流出部２８が共に非通気性の袋体３０に設けられる。よって、流入部２５及び流出部２８が袋体３０そのものに設けられ、抱き枕２１から外部に延び出すエアホース等は存在しない。従って、抱き枕２１から外部に延び出す部分が使用者Ｍの身体に当接することを抑制することができる。
【００５３】
また、流入部２５は開口部２６と弾性発泡部材２７とを有し、流入部２５は圧縮変形された弾性発泡部材２７が元の形状（圧縮前の形状）に形状復帰するときに袋体３０の内部に空気を吸い込むことによって袋体３０の内部への空気流入を行う。よって、弾性発泡部材２７の圧縮及び圧縮解除を繰り返すことによって袋体３０の内部への空気流入を容易に行うことができるので第１実施形態と同様の効果が得られる。
【００５４】
以上、本発明に係る抱き枕の実施形態について説明したが、本発明は、前述した各実施形態に限られるものではなく、各請求項に記載した要旨を変更しない範囲において変形してもよい。すなわち、抱き枕の各部の形状、大きさ、数、材料及び配置態様は、上記の要旨を逸脱しない範囲において適宜変更可能である。
【００５５】
例えば、前述の実施形態では、腕接触部２、延在部３及び脚載せ部４を含む袋体１０を備える抱き枕１と、腕接触部２２、延在部２３及び空気流出入部２４を含む袋体３０を備える抱き枕２１と、について説明した。しかしながら、これらの抱き枕１，２１は、使用者Ｍの頭部が載せられる枕として使用されてもよい。
【００５６】
また、前述の実施形態では、腕接触部２の内部から延在部３の内部を通って脚載せ部４の内部にまで延びる空間Ｓを有すると共に内容物を有しない袋体１０について説明した。しかしながら、袋体の内部に内容物が収容されてもよい。例えば、腕接触部２の内部、及び脚載せ部４の内部のみに弾性発泡体等の内容物が収容されてもよい。また、袋体の内部にマチ部が設けられていてもよく、マチ部によって袋体の内部が複数の空間に区画されていてもよい。
【００５７】
（実施例）
以下では、第１実施形態の抱き枕１の実施例について説明する。なお、本発明は、下記の実施例に限定されるものではない。図５に示されるように、実施例では抱き枕１を用いたときの体圧分散を測定し、比較例では抱き枕を用いないときの体圧分散を測定した。
【００５８】
測定の結果を図７（ａ）及び図７（ｂ）に示しており、図７（ａ）は実施例の体圧分散の測定結果、図７（ｂ）は比較例の体圧分散の測定結果をそれぞれ示している。図７（ａ）及び図７（ｂ）は、敷き寝具に付与される圧力の値をマトリクス状に示しており、色が濃い部分には高い圧力がかかっており、色が薄い部分には低い圧力しかかかっていないことを示している。
【００５９】
図７（ｂ）に示されるように、抱き枕１を用いない比較例の場合には、使用者Ｍの腰Ｍ５及び脚Ｍ２のあたりに高い圧力がかかっていることが分かる。一方、図７（ａ）に示されるように、抱き枕１を用いた実施例の場合には、腰Ｍ５及び脚Ｍ２にかかっていた圧力が緩和されており、抱き枕１によって使用者Ｍの体圧が分散されていることが分かる。
【００６０】
また、体圧分散を１０人の使用者Ｍに対して測定する実験を行った。この実験では、各使用者Ｍに対し、最大体圧（ｍｍＨｇ）、平均体圧（ｍｍＨｇ）、及び敷き寝具への接地面積（ｃｍ２）を測定した。その結果、実施例における最大体圧の１０人の平均値は２８ｍｍＨｇとなり、実施例における平均体圧の１０人の平均値は９ｍｍＨｇとなった。一方、比較例における最大体圧の１０人の平均値は６０ｍｍＨｇとなり、比較例における平均体圧の１０人の平均値は１２ｍｍＨｇとなった。従って、抱き枕１を用いた実施例では、最大体圧及び平均体圧を共に低下できることが分かった。
【００６１】
また、実験の結果、実施例における接地面積の１０人の平均値は３２５０ｃｍ２となり、比較例における接地面積の１０人の平均値は２３００ｃｍ２となった。このように、抱き枕１を用いた実施例では、敷き寝具に対する接地面積を広くできることが分かった。以上のように、抱き枕１を用いた場合には、接地面積を広くして体圧を抑えることにより、体圧分散性を確実に高められることが分かった。
【符号の説明】
【００６２】
１，２１…抱き枕、２，２２…腕接触部、２ａ…第１端部、２ｂ…第２端部、２ｃ…内側湾曲部、２ｄ…外側湾曲部、２ｅ…皺、３，２３…延在部、３ａ…第１傾斜部、３ｂ…第２傾斜部、３ｃ…第１湾曲部、３ｄ…第２湾曲部、４…脚載せ部、４ａ…第３端部、４ｂ…第４端部、４ｃ…内側延在部、５，２５…流入部、６，２６…開口部、６ａ…固定部、６ｂ…流通口、６ｃ…蓋、６ｄ…紐、６ｅ…雄螺子、７，２７…弾性発泡部材、７ａ…スポンジ部、７ｂ…固定部、７ｃ…接触面、８，２８…流出部、１０，３０…袋体、１０ａ…開口、１０ｂ…内面、１１，１２…カバー、１１ａ，１２ａ…側地、１１ｂ…綿、１２ｂ…パイプ材、２２ａ…端部、２２ｂ…第１湾曲部、２２ｃ…第２湾曲部、２３ａ…第１延在部、２３ｂ…第２延在部、２４…空気流出入部、２４ａ…端部、２４ｂ…第３湾曲部、２４ｃ…第４湾曲部、２６ａ…キャップ、Ａ…空気、Ｄ１…第１方向、Ｄ２…第２方向、Ｄ３…第３方向、Ｍ…使用者、Ｍ１…腕、Ｍ２…脚、Ｍ３…顔、Ｍ４…背中、Ｍ５…腰、Ｍ６…肩、Ｓ…空間（内部）。
【図１】
2019180476.tif 000003
【図２】
2019180476.tif 000004
【図３】
2019180476.tif 000005
【図４】
2019180476.tif 000006
【図５】
2019180476.tif 000007
【図６】
2019180476.tif 000008
【図７】
2019180476.tif 000009